(57)【要約】【課題】回路基板に実装された電気部品をケースカバーに形成された部品挿入孔から外側に突出した部分を適切に封鎖する。【解決手段】コネクタ７の電気接続端子１１が被覆部材４の端子逃孔３４から回路基板３の端子挿入孔８に挿入されて回路基板３のバンプ１４に半田３６で付けられ、コネクタ７が回路基板３に実装された後、回路基板３がケースベース１に搭載され、ケースカバー２が回路基板３およびケースベース１に被せられ、ケースカバー２の主膨出部２５がコネクタ７を除く電気部品６を覆い隠し、コネクタボディ１０の上部がケースカバー２の部品挿入孔２７を突き抜けて副膨出部２６の内部空間から外側に突出し、ケースカバー２のリブ２８が被覆部材４における周壁３２の内側に嵌め込まれ、リブ２８が被覆部材４の保護基板３１と接触するかまたは接触する程度に近づいて対向し、副膨出部２６が被覆部材４の周壁３２における外側の周囲を覆い隠している。【選択図】図１
2006095244.tif 000002
【特許請求の範囲】
【請求項１】
回路に必要な電気部品の実装された回路基板が、ケースベースとケースカバーとによって囲まれた内部の閉鎖空間に格納され、回路基板における外部からの接続または操作の必要な電気部品がケースカバーに形成された部品挿入孔からケースカバーの外側に突出され、外部からの接続または操作の必要な電気部品とケースカバーの部品挿入孔の周縁部との間の隙間に被覆部材が配置された遊技機の回路基板収納箱において、被覆部材が、外部からの接続または操作の必要な電気部品とケースカバーの部品挿入孔の周縁部との間の隙間を全体的に塞ぐために、外部からの接続または操作の必要な電気部品と回路基板との間に挿入される部品側延設部と、ケースカバーの部品挿入孔の周縁部と回路基板との間に挿入されるカバー側延設部とを備えたことを特徴とする遊技機の回路基板収納箱。
【請求項２】
部品側延設部が外部からの接続または操作の必要な電気部品と回路基板とに接触し、カバー側延設部がケースカバーの部品挿入孔の周縁部と回路基板とに接触したことを特徴とする請求項１記載の遊技機の回路基板収納箱。
【請求項３】
ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされたことを特徴とする請求項１記載の遊技機の回路基板収納箱。
【請求項４】
被覆部材が回路基板に接触する脚部を備えたことを特徴とする請求項１記載の遊技機の回路基板収納箱。
【請求項５】
被覆部材が部品側延設部とカバー側延設部とを含む被覆基板と被覆基板に形成された端子逃孔とを備え、被覆基板がケースカバーの部品挿入孔よりも大きな形状であって、端子逃孔が被覆基板に外部からの接続または操作の必要な電気部品の回路基板への電気接続端子の挿入される大きさであって、接続または操作の必要な電気部品の回路基板への電気接続端子が被覆基板の端子逃孔から回路基板の端子挿入孔に挿入されて端子挿入孔の周りのバンプに半田付けされたことによって、被覆基板が接続または操作の必要な電気部品と回路基板とに挟まれたことを特徴とする請求項１記載の遊技機の回路基板収納箱。
【発明の詳細な説明】
【技術分野】
【０００１】
本発明は、回路基板に実装された電気部品をケースカバーに形成された部品挿入孔から外側に突出した部分における封鎖が適切な遊技機の回路基板収納箱に関する。
【背景技術】
【０００２】
遊技機の回路基板収納箱は、回路を構成する電気部品の実装された回路基板が収納箱の一方を形成するケースベースの上に配置され、収納箱の他方を形成するケースカバーが回路基板における外部から接続または操作の必要な電気部品を除いた電気部品を覆うように被せられ、ケースベースと回路基板およびケースカバーが止ねじで締結され、被覆部材がケースカバーから外部に露出された回路基板の実装領域に取り付けられ、被覆部材がケースカバーより外部に露出された回路基板における印刷配線と呼ばれる箔状の導体を心無い人からの不正行為から保護している。しかしながら、図１３に示すように、回路基板５１の裏面５１ｂはケースベース５０で全体的に覆われるものの、回路基板５１の電気部品５３；５４の実装された表面５１ａの一部がケースカバー５２で覆われることなく外部に露出している。そして、被覆部材５５には部品挿入孔５６が形成されており、被覆部材５５がケースカバー５２から露出した部分における電気部品５３の上方から被せられる場合に、当該電気部品５３の上部が部品挿入孔５６を貫通して被覆部材５５より上方に突出し、被覆部材５５がケースカバー５２から露出した電気部品５３とケースカバー５２で覆われた電気部品５４とを接続する導体５７を覆う構造である（特許文献１の図１１参照）。しかし、電気部品５４の回路基板５１の表面５１ａから上方に延びる外側面は、回路基板５１の表面に対し垂直な平坦面でなく、回路基板５１の表面５１ａと平行な方向に凹凸５８になっているのが一般的である。このため、ケースカバー５２で覆われていない電気部品５３が被覆部材５５の部品挿入孔５６に挿入され、被覆部材５５が回路基板５１に被せられた場合、部品挿入孔５６の周縁部と電気部品５３との間には隙間５９が存在する。よって、心無い人が、上記隙間５９から棒状の不正操作部材６０をケースカバー５２で覆われた内部空間６１に挿入し、内部空間６１における電気部品５４や被覆部材５５で覆われていない導体５７に不正を行うという欠点があった。また、図１４に示すように、ケースカバー５２から露出した電気部品５３に被覆部６２を設け、被覆部６２がケースカバー５２から露出した電気部品５３とケースカバー５２で覆われた電気部品５４とを接続する導体５７を覆う構造である（特許文献１の図１３参照）。このため、心無い人が、ケースカバー５２から露出した回路基板５１とケースカバー５２との間に形成された隙間６３から棒状の不正操作部材６０をケースカバー５２で覆われた内部空間６１に挿入し、内部空間６１における電気部品５４や導体５７に不正を行う行為が行われるという欠点があった。図１３および図１４に示した構造は、回路基板５１の電気部品５３；５４の実装された表面の一部がケースカバー５２から外部に露出し、被覆部材５５または被覆部６２がケースカバー５２から露出した電気部品５３とケースカバー５２で覆われた電気部品５４とを接続する導体５７を覆うだけで、回路基板５１の電気部品５３；５４の実装された表面がケースカバーで全体的に覆われていないため、ケースカバー５２で覆われた内部空間における電気部品５４や導体５７が不正行為を受けるという欠点があった。
【特許文献１】特開平１０−２８６３６５号公報
【発明の開示】
【発明が解決しようとする課題】
【０００３】
発明が解決しようとする問題点は、回路基板に対する不正行為が行われるという点である。
【課題を解決するための手段】
【０００４】
本発明に係る遊技機の回路基板収納箱は、回路に必要な電気部品の実装された回路基板が、ケースベースとケースカバーとによって囲まれた内部の閉鎖空間に格納され、回路基板における外部からの接続または操作の必要な電気部品を除いた電気部品がケースカバーで覆われ、回路基板における外部からの接続または操作の必要な電気部品がケースカバーに形成された部品挿入孔からケースカバーの外側に突出され、外部からの接続または操作の必要な電気部品とケースカバーの部品挿入孔の周縁部との間の隙間に被覆部材が配置された遊技機の回路基板収納箱において、被覆部材が、外部からの接続または操作の必要な電気部品とケースカバーの部品挿入孔の周縁部との間の隙間を全体的に塞ぐために、外部からの接続または操作の必要な電気部品と回路基板との間に挿入される部品側延設部と、ケースカバーの部品挿入孔の周縁部と回路基板との間に挿入されるカバー側延設部とを備えたことを最も主要な特徴とする。本発明に係る遊技機の回路基板収納箱は、部品側延設部が外部からの接続または操作の必要な電気部品と回路基板とに接触し、カバー側延設部がケースカバーの部品挿入孔の周縁部と回路基板とに接触したり、または、ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされたり、または、被覆部材が回路基板に接触する脚部を備えたり、または、被覆部材が部品側延設部とカバー側延設部とを含む被覆基板と被覆基板に形成された端子逃孔とを備え、被覆基板がケースカバーの部品挿入孔よりも大きな形状であって、端子逃孔が被覆基板に外部からの接続または操作の必要な電気部品の回路基板への電気接続端子の挿入される大きさであって、接続または操作の必要な電気部品の回路基板への電気接続端子が被覆基板の端子逃孔から回路基板の端子挿入孔に挿入されて端子挿入孔の周りのバンプに半田付けされたことによって、被覆基板が接続または操作の必要な電気部品と回路基板とに挟まれたりしてもよい。
【発明の効果】
【０００５】
本発明に係る遊技機の回路基板収納箱は、不正操作部材がケースカバーとケースベースとからなる収納箱の外部からの接続または操作の必要な電気部品と部品挿入孔の周縁部との間の隙間に挿入されても、外部からの接続または操作の必要な電気部品と回路基板との間に挿入された被覆部材における部品側延設部および部品挿入孔の周縁部と回路基板との間に挿入されたカバー側延設部とが不正操作部材のケースカバーとケースベースとからなる内部の閉鎖空間への侵入を阻止し、回路基板に対する不正行為が防止できるという利点がある。部品側延設部が外部からの接続または操作の必要な電気部品と回路基板とに接触し、カバー側延設部がケースカバーの部品挿入孔の周縁部と回路基板とに接触したり、または、ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされれば、不正操作部材の閉鎖空間への侵入を一層良好に阻止することができるという利点がある。被覆部材が回路基板に接触する脚部を備えれば、電気接続端子とバンプとを半田で付ける場合の熱が、被覆部材に奪われることもなく、被覆部材と回路基板との隙間にこもることもなく、電気接続端子とバンプとが互いに半田で適切に付けられるという利点がある。被覆部材が部品側延設部とカバー側延設部とを含む被覆基板と被覆基板に形成された端子逃孔とを備え、被覆基板がケースカバーの部品挿入孔よりも大きな形状であって、端子逃孔が被覆基板に外部からの接続または操作の必要な電気部品の回路基板への電気接続端子の挿入される大きさであって、接続または操作の必要な電気部品の回路基板への電気接続端子が被覆基板の端子逃孔から回路基板の端子挿入孔に挿入されて端子挿入孔の周りのバンプに半田付けされたことによって、被覆基板が接続または操作の必要な電気部品と回路基板とに挟まれれば、被覆部材を外部からの接続または操作の必要な電気部品または回路基板に固定する必要がなく、構造が簡単であるという利点がある。
【発明を実施するための最良の形態】
【０００６】
図１乃至図１２は、発明を実施するための最良の形態である。図１は、遊技機の回路基板収納箱における主要部の断面を示す。図２は、回路基板収納箱を分解して示す。図３は、ケースベース１の外観を示す。図４は、図３のケースベース１をＡ−Ａ線に沿い切断した断面を示す。図５は、ケースカバー２の外観を示す。図６は、図５のケースカバー２をひっくり返した裏側からの外観を示す。図７は、図５のケースベース１をＢ−Ｂ線に沿い切断した断面を示す。図８は、図５のケースベース１をＣ−Ｃ線に沿い切断した断面を示す。図９のａ図は、被覆部材４の外観を示す。図９のｂ図は、図９のａ図における被覆部材４をＤ−Ｄ線に沿い切断した断面を示す。図１０は、図９の被覆部材をひっくり返した裏側からの外観を示す。図１１は、コネクタ７および被覆部材４を回路基板３に取り付ける工程を示す。図１２は、回路基板収納箱を組み立てる工程を示す。
【０００７】
図２を参照し、遊技機の回路基板収納箱の構成部品について説明する。回路基板収納箱は、収納箱の一方を形成するケースベース１、収納箱の他方を形成するケースカバー２、方形な回路基板３、被覆部材４、タッピングスクリューのような止ねじ５を備える。回路基板３に実装される電気部品６のうちで外部から接続または操作の必要な電気部品６として複数のコネクタ７を例示する。図２は、コネクタ７が被覆部材４を回路基板３との間に挟む格好で回路基板３の一側部に実装される前の時点における形態であって、ＣＰＵ、ＲＯＭ、ＲＡＭ、入力インターフェース、出力インターフェース、抵抗器、コンデンサ、コイル、ダイオード、トランジスタなどの種々の電気部品６が回路基板３に挿入実装または面実装により実装されて回路基板３の表面３ａに存在している形態であって、回路基板３の一側部には、複数の端子挿入孔８が、回路基板３の表面３ａと裏面３ｂとに貫通する。回路基板３の四隅には、ねじ挿入孔９が、回路基板３の表面３ａと裏面３ｂとに貫通する。コネクタ７は、合成樹脂からなるコネクタボディ１０の底面から複数の電気接続端子１１を下方に突出する。コネクタ７が回路基板３に実装される場合、電気接続端子１１が、回路基板３の表面３ａの側から端子挿入孔８に挿入される。ねじ挿入孔９には、止ねじ５のねじ部１２が回路基板３の表面３ａの側から遊び嵌めに挿入される。
【０００８】
図３および図４を参照し、ケースベース１の構造について説明する。図３に示すように、ケースベース１は、光を透過する性質の有る無色の合成樹脂により、ベース基板１５、側壁１６、支持台１７、ねじ取付孔１８を備えた、一体の形状に形成された構造である。図４にも示すように、ベース基板１５は、回路基板３より大きな方形である。側壁１６は、ベース基板１５の周縁から図２のケースカバー２と向き合う方向としての一方向にベース基板１５の板面の１つである表面１５ａと直角となるように突出し、互いにベース基板１５の周方向で連接される。この互いに連接された側壁１６で囲まれた方形な開口は、回路基板３より大きな方形である。側壁１６における上面１６ａは、ベース基板１５の表面１５ａと平行な１つの平面内に位置する。支持台１７は、ベース基板１５の四隅に個別に突出する。支持台１７の上面１７ａは、ベース基板１５の表面１５ａと平行な１つの平面内に位置する。支持台１７の上面１７ａとベース基板１５の表面１５ａとの間の寸法である高さは、側壁１６におけるベース基板１５の表面１５ａからの高さよりも低いので、回路基板３の四隅が支持台１７の上面に個別に載せられた場合、回路基板３の周縁における端面３ｃが、側壁１６に、ベース基板１５の表面１５ａと平行な方向で対向するように、回路基板３が側壁１６で囲まれた方形な開口の内部に収納される。ねじ取付孔１８は、止ねじ５のねじ部１２を締結するために、支持台１７の上面１７ａから内部に窪む窪みとして形成される。
【０００９】
図５乃至図８を参照し、ケースカバー２の構造について説明する。図５に示すように、ケースカバー２は、光を透過する性質の有る無色の合成樹脂により、カバー基板２１、側壁２２、ねじ挿入孔２３、頭部収納部２４、主膨出部２５、副膨出部２６、部品挿入孔２７、リブ２８を備えた、一体の形状に形成された構造である。図６乃至図８にも示すように、カバー基板２１は、ケースベース１における側壁１６の外側縁で形成される方形な外形より大きな方形である。側壁２２は、カバー基板２１の板面の１つである裏面２１ｂよりも、カバー基板２１の周縁からケースベース１と向き合う方向としての一方向に突出し、互いにカバー基板２１の周方向で連接される。この互いに連接された側壁２２で囲まれた方形な開口は、ケースベース１における側壁１６の外側縁で形成される方形な外形より大きな方形である。ねじ挿入孔２３は、止ねじ５のねじ部１２を遊び嵌め挿入するために、カバー基板２１の四隅に個別に位置し、カバー基板２１の表面２１ａおよび裏面２１ｂに貫通する。頭部収納部２４は、止ねじ５の頭部１３を収納するために、主膨出部２５および副膨出部２６の隅部がカバー基板２１の表面２１ａの側に窪む形状である。
【００１０】
主膨出部２５および副膨出部２６は、カバー基板２１の裏面２１ｂから表面２１ａの側に突出する窪みを形成する。主膨出部２５は、ケースカバー２がケースベース１に被せられた場合、回路基板３にコネクタ７を除き実装された電気部品６を覆うケースベース１の側に開口した内部空間を形成する。副膨出部２６は、ケースカバー２がケースベース１に被せられた場合、回路基板３に実装されたコネクタ７および被覆部材４を覆うケースベース１の側に開口した内部空間を形成する。部品挿入孔２７は、ケースカバー２がケースベース１に被せられた場合、回路基板３に実装されたコネクタ７をケースカバー２から外部に突出するための開口であって、複数のコネクタ７の全部を１つの部品挿入孔２７から突出するように、カバー基板２１の一側部に沿う細長い方形になっている。リブ２８は、部品挿入孔２７の周縁から副膨出部２６の内部に突出し、部品挿入孔２７の周方向に連接された、環状である。
【００１１】
図９および図１０を参照し、被覆部材４の構造について説明する。図９のａ図に示すように、被覆部材４は、光を透過する性質の有る無色の合成樹脂により、被覆基板３１、周壁３２、部品収納部３３、端子逃孔３４、脚部３５を備えた、一体の形状に形成された構造である。被覆基板３１は、副膨出部２６の内部空間に配置され得る細長い方形である。図９のｂ図にも示すように、周壁３２は、被覆基板３１の周縁から被覆基板３１の板面の１つである表面３１ａよりもケースカバー２と向き合う方向としての一方向に突出し、互いに、被覆基板３１の周方向に連接された環状である。部品収納部３３は、被覆基板３１の表面３１ａから内部に窪む窪みであって、複数のコネクタ７を個別に収納する大きさである。端子逃孔３４は、部品収納部３３に収納されるコネクタ７の電気接続端子１１を逃げるために、部品収納部３３の表面３３ａと被覆基板３１の板面のもう１つである裏面３１ｂとに貫通した孔である。図１０にも示すように、脚部３５は、被覆基板３１の周縁から被覆基板３１の裏面３１ｂよりも回路基板３と向き合う方向としての一方向に突出し、被覆基板３１の周方向に独立し、個数が複数の形態である。
【００１２】
図１１および図１２を参照し、回路基板収納箱の組み立て方について説明する。先ず、図１１に示すように、コネクタ７および被覆部材４が回路基板３に実装される。具体的には、図１１のa図に示すように、被覆部材４の端子逃孔３４と回路基板３の端子挿入孔８とが互いに上下方向で合うように、被覆部材４の脚部３５が回路基板３における表面３ａの上に載せられ、脚部３５の下面が回路基板３における表面３ａに接触する。そして、図１１のｂ図に示すように、コネクタ７の電気接続端子１１が被覆部材４の上方から端子逃孔３４を経由して端子挿入孔８に挿入される、電気接続端子１１の突出した側に位置するコネクタボディ１０の下部が被覆部材４の部品収納部３３に挿入され、コネクタボディ１０の底面が部品収納部３３の上面に載せられて接触する。これによって、電気接続端子１１の先端部が回路基板３における端子挿入孔８の周りのバンプ１４よりも下方に突出する。バンプ１４は、回路基板３に印刷配線のような導体と同じ材料からなる箔状の導体により半田３６を付けるために設けられた部分である。
【００１３】
その後、図１１のｃ図に示すように、半田３６がバンプ１４よりも下方に突出した電気接続端子１１の先端部およびバンプ１４に付けられることによって、被覆部材４の被覆基板３１がコネクタボディ１０と回路基板３とで挟まれた格好で、コネクタ７が挿入実装される。上記半田３６を付ける場合、被覆部材４の被覆基板３１が脚部３５により回路基板３の表面３ａから上方に浮き上がっているので、半田３６を付ける場合の熱が、被覆部材４に奪われることもなく、被覆基板３１と回路基板３との隙間にこもることもなく、当該隙間から複数の脚部３５どうしの間における隙間を通って被覆基板３１および回路基板３の外部に適切に逃げるので、被覆基板３１が存在しない場合と同様に、電気接続端子１１とバンプ１４とが互いに半田３６で付けられる。この図１１に示すコネクタ７および被覆部材４の回路基板３への実装は、図２に示すコネクタ７を除く電気部品６との実装と同時に行っても、図２に示すコネクタ７を除く電気部品６の実装後に行っても、図２に示すコネクタ７を除く電気部品６の実装前に行ってもよい。
【００１４】
次に、図１２に示すように、ケースベース１、ケースカバー２、電気部品６とコネクタ７および被覆部材４の実装された回路基板３を組み立てる。具体的には、図１２のa図に示すように、回路基板３の表面３ａが上方に向けられ、回路基板３の裏面３ｂとケースベース１におけるベース基板１５の表面１５ａとが互いに向かい合わせられ、回路基板３の四隅がケースベース１の支持台１７の上に載せられる。そして、図１２のｂ図に示すように、ケースカバー２におけるカバー基板２１の裏面２１ｂが回路基板３の側に向けられ、ケースカバー２が回路基板３と被覆部材４およびケースベース１に被せられる。これによって、ケースカバー２の側壁２２がケースベース１における側壁の外側に嵌めこまれ、ケースカバー２の主膨出部２５がコネクタ７を除く電気部品６を覆い隠し、コネクタボディ１０の上部がケースカバー２の部品挿入孔２７を突き抜けて副膨出部２６の内部空間から外側に突出し、ケースカバー２のリブ２８が被覆部材４における周壁３２の内側に嵌め込まれ、リブ２８が被覆部材４の被覆基板３１と接触するかまたは接触する程度に近づいて対向し、副膨出部２６が被覆部材４の周壁３２における外側の周囲を覆い隠す。
【００１５】
その後、止ねじ５が、図２におけるケースカバー２の外側からケースカバー２のねじ挿入孔２３と回路基板３のねじ挿入孔９とを順に通過してケースベース１のねじ取付孔１８に締結され、回路基板収納箱が完成する。この完成した回路基板収納箱では、図１２のｂ図に示すように、回路に必要なコネクタ７を含む電気部品６の実装された回路基板３が、ケースベース１とケースカバー２とによって囲まれた内部の閉鎖空間３７に格納され、回路基板３におけるコネクタ７を除いた電気部品６がケースカバー２で覆われ、回路基板３におけるコネクタ７がケースカバー２における部品挿入孔２７からケースカバー２の外側に突出し、コネクタ７と部品挿入孔２７の周縁部であるリブ２８との間の隙間３８に被覆部材４が配置される。
【００１６】
最良の形態における回路基板収納箱によれば、図１に示すように、コネクタ７とリブ２８との間の隙間３８を全体的に塞ぐために、被覆部材４が、コネクタ７と回路基板３との間に挿入された被覆基板３１における部品側延設部３９と、リブ２８と回路基板３との間に挿入された被覆基板３１におけるカバー側延設部４０とを備えた構造になっている。このため、不正操作部材４１がケースベース１とケースカバー２とからなる収納箱の外側から上記隙間３８に挿入しても、部品側延設部３９およびカバー側延設部４０が不正操作部材４１の閉鎖空間３７への侵入を阻止する。よって、回路基板に実装されたコネクタ７をケースカバー２に形成された部品挿入孔２７からケースカバー２の外側に突出した部分における封鎖が、不正操作部材４１の閉鎖空間３７への侵入を適切に阻止し、閉鎖空間３７における電気部品６とコネクタ７とを接続する回路基板３における箔状の導体や電気部品６が不正行為を受けることはないという利点がある。
【００１７】
部品側延設部３９がコネクタボディ１０における電気接続端子１１の突出した下面と回路基板３の表面３ａとに接触し、カバー側延設部４０がケースカバー２における部品挿入孔２７の周縁部を構成するリブ２８の下面と回路基板３の表面３ａとが互いに接触するか接触する程度に近づいているので、不正操作部材４１の閉鎖空間３７への侵入を一層良好に阻止することができるという利点がある。ケースカバー２が部品挿入孔２７の周縁部より被覆部材４の方向に突出するリブ２８を備え、被覆部材４のカバー側延設部４０がケースカバー２の方向に突出する周壁３２を備え、リブ２８が周壁３２の内側に位置し、周壁３２がリブ２８の外側を囲むように、リブ２８と周壁３２とが互いに嵌め合わされているので、不正操作部材４１が隙間３８からリブ２８の下面と回路基板３の表面３ａとの間にたとえ進入しても、周壁３２に突き当たり、リブ２８と周壁３２との間に進入することができず、不正操作部材４１の閉鎖空間３７への侵入を一層良好に阻止することができるという利点がある。部品側延設部３９には、コネクタボディ１０の下部を収納する部品収納部３３が設けられているので、コネクタボディ１０の下部が部品収納部３３から上方に抜けない範囲において、コネクタボディ１０の下面と部品収納部３３の表面３３ａとの間に隙間が存在しても、コネクタボディ１０と部品収納部３３との間の回路基板３の表面３ａと平行する方向の隙間の距離が小さければ、不正操作部材４１がコネクタボディ１０の下面と部品収納部３３の表面３３ａとの間の隙間に侵入しないという利点がある。
【００１８】
被覆部材４が部品側延設部３９、カバー側延設部４０、被覆基板３１、端子逃孔３４を備える。部品側延設部３９とカバー側延設部４０とが、被覆基板３１に含まれる。被覆基板３１がケースカバー２の部品挿入孔２７の孔径よりも大きな平面を有する形状である。端子逃孔３４が被覆基板３１に形成される、端子逃孔３４は、コネクタ７の電気接続端子１１が挿入される大きさである。電気接続端子１１が端子逃孔３４から回路基板３の端子挿入孔８に挿入されて端子挿入孔８の周りのバンプ１４に半田３６で付けられたことによって、被覆部材４がコネクタ７のコネクタボディ１０と回路基板３とに挟まれた構造である。つまり、図１に示すように、被覆部材４が端子逃孔３４の部分で左右に分割されていない一体の構造である。このため、被覆部材４が左右に移動することがなくコネクタ７で支持されるので、被覆部材４をコネクタ７または回路基板３に接着または接合または止めねじなどで固定する必要がなく、構造が簡単であるという利点がある。その理由は、被覆部材４が端子逃孔３４の部分で左右に分割されていると、被覆部材４がコネクタ７と回路基板３との間に配置され、電気接続端子１１がバンプ１４に半田３６で付けられたとしても、振動によって、被覆部材４が左右に移動し、部品側延設部３９がコネクタボディ１０と回路基板３との間から抜ける可能性があるので、それを防止することから、分割された被覆部材４をコネクタ７または回路基板３に固定する必要があり、被覆部材４をコネクタ７または回路基板３に固定するための構造が複雑となるからである。
【産業上の利用可能性】
【００１９】
回路基板３における電気部品６とコネクタ７とを接続する印刷配線と呼ばれる箔状の導体は、回路基板３の表面３ａまたは裏面３ｂの一方または両方に備えてもよい。半田３６を付ける作業が面倒になるが、脚部３５は存在しなくてもよい。リブ２８の下面と回路基板３の表面３ａが互いに接触するか接触する程度に近づいており、リブ２８の下面と回路基板３の表面３ａとの間に不正操作部材４１が進入できなければ、被覆部材４に周壁３２を設けなくてもよい。被覆部材４に周壁３２が存在せず、部品挿入孔２７の周縁部にリブ２８が存在せず、部品挿入孔２７の周縁部の下面と回路基板３の表面３ａが互いに接触するか接触する程度に近づくようにしてもよい。
【図面の簡単な説明】
【００２０】
【図１】回路基板収納箱の主要部を示す断面図（最良の形態）。
【図２】回路基板収納箱を示す分解斜視図（最良の形態）。
【図３】ケースベースを示す斜視図（最良の形態）。
【図４】図３のＡ−Ａ線断面図（最良の形態）。
【図５】ケースカバーを前側から示す斜視図（最良の形態）。
【図６】ケースカバーを裏側から示す斜視図（最良の形態）。
【図７】図５のＢ−Ｂ線断面図（最良の形態）。
【図８】図５のＣ−Ｃ線断面図（最良の形態）。
【図９】ａ図は被覆部材を前側から示す斜視図、ｂ図はａ図のＤ−Ｄ線断面図（最良の形態）。
【図１０】被覆部材を裏側から示す斜視図（最良の形態）。
【図１１】コネクタおよび被覆部材の回路基板への取付工程図（最良の形態）。
【図１２】回路基板収納箱の組立工程図（最良の形態）。
【図１３】回路基板収納箱の要部を示す断面図（従来）。
【図１４】回路基板収納箱の異なる要部を示す断面図（従来）。
【符号の説明】
【００２１】
１    ケースベース
２    ケースカバー
３    回路基板
４    被覆部材
６    電気部品
７    コネクタ
１１  電気接続端子
１４  バンプ
２７  部品挿入孔
２８  リブ
３１  被覆基板
３２  周壁
３４  端子逃孔
３５  脚部
３６  半田
３７  閉鎖空間
３８  隙間
３９  部品側延設部
４０  部品側延設部
【図１】
2006095244.tif 000003
【図２】
2006095244.tif 000004
【図３】
2006095244.tif 000005
【図４】
2006095244.tif 000006
【図５】
2006095244.tif 000007
【図６】
2006095244.tif 000008
【図７】
2006095244.tif 000009
【図８】
2006095244.tif 000010
【図９】
2006095244.tif 000011
【図１０】
2006095244.tif 000012
【図１１】
2006095244.tif 000013
【図１２】
2006095244.tif 000014
【図１３】
2006095244.tif 000015
【図１４】
2006095244.tif 000016